(57)【要約】      （修正有）【課題】トレンチの断面を撮影するカメラの水平・垂直方向への移動を可能とし、断面を垂直方向で撮影できるように、トレンチ断面の傾斜度によって、カメラの角度を調節可能にすることで、ユーザが所望する倍率のトレンチの断面の写真を獲得する層理面撮影装置を提供する。【解決手段】一対の垂直スタンド１１０と、前記一対の垂直スタンドに、両側端部が結合して設置される水平支持台１２０と、前記水平支持台上に装着され、水平方向に移動可能な本体部１３０と、前記水平支持台を中心軸として回転可能に、前記本体部に設置され、前記水平支持台の長さ方向に垂直な方向に、長さ調節が可能な可変構造で形成された長さ調節部１４０と、前記長さ調節部上に結合されるカメラ装着治具１５０と、前記カメラ装着治具に装着されるカメラ１６０と、前記水平支持台に設置され、水平支持台の傾斜した程度を測定して、水平状態を感知する水平計１７０とを含む。【選択図】図１
2019015946.tif 000002
【特許請求の範囲】
【請求項１】
一対の垂直スタンドと、
前記一対の垂直スタンドに、両側端部が結合して設置される水平支持台と、
前記水平支持台上に装着され、水平方向に移動可能な本体部と、
前記水平支持台を中心軸として回転可能に、前記本体部に設置され、前記水平支持台の長さ方向に垂直な方向に、長さ調節が可能な可変構造で形成された長さ調節部と、
前記長さ調節部上に結合されるカメラ装着治具と、
前記カメラ装着治具に装着されるカメラと、
前記水平支持台に設置され、水平支持台の傾斜した程度を測定して、水平状態を感知する水平計とを含むことを特徴とする層理面撮影装置。
【請求項２】
一対の垂直スタンドと、
前記一対の垂直スタンドに、両側端部が結合して設置される水平支持台と、
前記水平支持台上で水平方向に移動可能であり、前記水平支持台を中心軸として回転可能に、前記水平支持台に設置される本体部と、
前記水平支持台の長さ方向に垂直な方向に、長さ調節が可能な可変構造で、前記媒介部上に結合された長さ調節部と、
前記長さ調節部上に結合されるカメラ装着治具と、
前記カメラ装着治具に装着されるカメラと、
前記水平支持台に設置され、水平支持台の傾斜した程度を測定して、水平状態を感知する水平計とを含むことを特徴とする層理面撮影装置。
【請求項３】
前記垂直スタンドは、一端部が水平支持台に結合され、他端部には、前記層理面撮影装置が揺れないように地面上に固定させる固定手段が設置され、
前記固定手段は、垂直スタンドと一体に形成されるか、又は、分離及び締結可能に形成されることを特徴とする請求項１又は２に記載の層理面撮影装置。
【請求項４】
前記固定手段は、楔状爪を有する固定台、又は五徳固定台であることを特徴とする請求項３に記載の層理面撮影装置。
【請求項５】
前記水平支持台には、水平方向に一定の間隔に移動できるように、目盛りが形成されることを特徴とする請求項１又は２に記載の層理面撮影装置。
【請求項６】
前記カメラ装着治具の一側には、３６０度回転可能な回転部が更に設置され、前記回転部にカメラが結合されることを特徴とする請求項１又は２に記載の層理面撮影装置。
【請求項７】
前記層理面撮影装置は、前記本体部又は前記長さ調節部の作動を制御する制御部を、更に含み、
前記制御部は、層理面を垂直方向で撮影できるように、前記本体部又は長さ調節部の水平方向運動、回動、又は垂直方向への長さ調節を制御することを特徴とする請求項１又は２に記載の層理面撮影装置。
【請求項８】
前記層理面撮影装置は、ユーザによる制御信号を受信されるか、撮影装置から収集された情報を受信可能な有無線方式による送受信手段が、更に備えることを特徴とする請求項１又は２に記載の層理面撮影装置。
【発明の詳細な説明】
【技術分野】
【０００１】
本発明は、地面に形成されたトレンチの断面を撮影する装置に関し、撮影範囲が最小数メートルから数十メートルのトレンチ断面に対して垂直な方向で撮影して、ユーザが所望する倍率の写真を獲得することができ、カメラのブレ又は水平不均衡の状態を防止する撮影装置に関する。
【背景技術】
【０００２】
一般に、断層調査は、露出した露頭を対象に調査を行う。ここで露頭とは、鉱脈、岩石や地層、石炭層などが地表に露出した部分をいう。
【０００３】
しかし、地質調査者が追跡した断層露頭は、第４期地層で覆われている場合が多く、地表を掘削（以下、‘トレンチ’と言う）調査して、断層の有無を確認する。特に、地震発生と関係のある第４期断層の場合は、殆ど地形変位で断層の発達を類推解釈するので、地表のトレンチ調査は、研究において、必須過程に該当する。
【０００４】
地質研究において、地質露頭に対する正確な写真資料は必須であるが、トレンチ調査時に発見された断層に対して正確な写真資料を獲得することは、非常に難しい。地表のトレンチ調査において、トレンチの規模は、断層によって異なるが、通常、トレンチの最小規模は、幅、長さ、深さが、最小でも３ｍ、１０ｍ、３ｍ以上に形成される。
【０００５】
数メートル以上のトレンチ断面に対しては、数十枚〜数百枚の写真を撮影して編集することで、一枚の写真作成と共に、断層に対する調査を行うことになる。
【０００６】
ここで、数十枚〜数百枚の写真を、幅が３ｍの空間内で、一定の倍率、距離、撮影焦点水平距離を維持し難いことに鑑みると、数百枚の写真を編集して、１つの断層露頭写真を作成することは、非常に難しい。
【０００７】
これにより、トレンチによって断層を発見しても、全体のトレンチ断面に対する完璧な良質の断層写真を得難いことが現実である。
【０００８】
今までは、互いに異なる距離で撮影された写真などを、コンピュータプログラムを用いて人為的に調節して、歪曲した断層写真、断片的な近距離又は遠距離の断層写真だけを獲得するしかなかった。
【０００９】
このような問題は、トレンチによって露出した断層に対して、断層露頭を観察しない専門家との打ち合わせにおいて、打ち合わせがスムーズに進まなくなり、また、論文や報告書の作成において、露頭写真の画質又は鮮明度が良くないため、論文や報告書の掲載において困難であるだけでなく、露頭スケッチに代替したときも、断層の記述が主観的であるか、客観的であるかを把握し難いという不都合があった。
【先行技術文献】
【特許文献】
【００１０】
【特許文献１】韓国登録特許公報第１０−１４３９４２３号（登録日：  ２０１４．０９．０２．）
【発明の概要】
【発明が解決しようとする課題】
【００１１】
本発明の目的は、幅が狭く、深さの深いトレンチの断面を撮影する場合、手動的な撮影方式によるカメラの水平不均衡による写真のブレ現象、撮影して獲得した写真のサイズ及び倍率の調整で写真の精度が落ちるという問題点を解決するために、トレンチの断面を撮影するカメラの水平・垂直方向への移動を可能とし、断面を垂直方向で撮影できるように、トレンチ断面の傾斜度によって、カメラの角度を調節可能にすることで、ユーザが所望する倍率のトレンチの断面の写真を獲得することにある。
【課題を解決するための手段】
【００１２】
このような目的を達成するために、本発明による層理面撮影装置は、一対の垂直スタンドと、
前記一対の垂直スタンドに、両側端部が結合して設置される水平支持台と、前記水平支持台上に装着され、水平方向に移動可能な本体部と、前記水平支持台を中心軸として回転可能に、前記本体部に設置され、前記水平支持台の長さ方向に垂直な方向に、長さ調節が可能な可変構造で形成された長さ調節部と、前記長さ調節部上に結合されるカメラ装着治具と、前記カメラ装着治具に装着されるカメラと、前記水平支持台に設置され、水平支持台の傾斜した程度を測定して、水平状態を感知する水平計とを含むことを特徴とする。
【００１３】
また、前記層理面撮影装置と比較するとき、カメラを回転させる手段を異にする本発明による他の層理面撮影装置は、一対の垂直スタンドと、前記一対の垂直スタンドに、両側端部が結合して設置される水平支持台と、前記水平支持台上で水平方向に移動可能であり、前記水平支持台を中心軸として回転可能に、前記水平支持台に設置される本体部と、前記水平支持台の長さ方向に垂直な方向に、長さ調節が可能な可変構造で、前記媒介部上に結合された長さ調節部と、前記長さ調節部上に結合されるカメラ装着治具と、前記カメラ装着治具に装着されるカメラと、前記水平支持台に設置され、水平支持台の傾斜した程度を測定して、水平状態を感知する水平計とを含むことを特徴とする。
【００１４】
すなわち、前記層理面撮影装置において、第１の層理面撮影装置は、長さ調節部が水平支持台を中心軸として回転可能であるように、水平支持台に設置されてカメラが回転可能となる。一方、第２の層理面撮影装置は、本体部が水平支持台を中心軸に回転可能であるように、水平支持台に設置されてカメラが回転することになり、カメラを回転させる構成に差が存在する。
【００１５】
但し、前述した本発明による層理面撮影装置は、トレンチの断面、すなわち、層理面の傾斜度によって、カメラを回転又は傾斜することで、層理面を垂直な方向で撮影できるようにする。
【００１６】
１つの具体例において、前記垂直スタンドは、一端部が水平支持台に結合され、他端部には、前記層理面撮影装置が揺れないように地面上に固定させる固定手段が設置され、前記固定手段は、垂直スタンドと一体に形成されるか、分離及び締結可能に形成される。
【００１７】
このような構造において、前記層理面撮影装置は、地面上に安定に設置され、前記固定手段は、楔状爪を有する固定台、又は五徳固定台であるのが望ましく、前記撮影装置を地面上に安定に設置又は固定可能な手段であれば、これに限定されない。
【００１８】
一方、層理面を撮影するために、カメラを水平方向に一定の間隔に移動できるように、前記水平支持台には、目盛りが形成される。
【００１９】
１つの具体例において、前記カメラ装着治具の一側には、３６０度回転可能な回転部が更に設置され、前記回転部にカメラが結合される。
【００２０】
前記層理面撮影装置は、前記本体部又は前記長さ調節部の作動を制御する制御部を、更に含み、前記制御部は、層理面を垂直方向で撮影できるように、前記本体部又は長さ調節部の水平方向運動、回動、又は垂直方向への長さ調節を制御する。
【００２１】
これにより、ユーザによる制御が可能であるように、層理面撮影装置に、有無線の方式で制御信号を送信又は受信される送受信手段が設けられ、このような送受信手段により受信される情報には、前記撮影装置により撮影される層理面の映像が含まれる。
【発明の効果】
【００２２】
本発明の撮影装置によると、トレンチの断面を撮影するカメラの水平・垂直方向への移動を可能にするだけでなく、断面を垂直方向で撮影できるように、トレンチ断面の傾斜度によって、カメラの角度を調節することができるので、ユーザは、所望する倍率のトレンチの断面の写真を獲得することができる。
【図面の簡単な説明】
【００２３】
【図１】図１は、本発明の１実施例による層理面撮影装置の斜視図である。
【図２】図２は、図１における本体部の拡大図である。
【図３】図３は、本発明の他の実施例による層理面撮影装置の斜視図である。
【図４】図４は、図３における本体部の拡大図である。
【図５】図５は、図１の層理面撮影装置のカメラ装着治具と、カメラの装着構造の拡大図である。
【発明を実施するための形態】
【００２４】
後述する本発明に関する詳細な説明は、本発明が実施される特定の実施例を例示として示す添付の図面を参照する。これらの実施例は、当業者が本発明を実施できるように、十分詳細に説明される。本発明の様々な実施例は互いに異なるが、相互排他的である必要はないことが理解されるべきである。例えば、ここに記載されている特定の形状、構造、及び特性は、一実施例に関して、本発明の技術的思想及び範囲を逸脱することなく、他の実施例として具現されることができる。また、それぞれの開示された実施例の個別の構成要素の位置又は配置は、本発明の技術的思想及び範囲を逸脱することなく、変更され得ることが理解されるべきである。よって、後述する詳細な説明は、限定的な意味ではなく、本発明の範囲は、その請求項が主張することと均等な全ての範囲と共に、添付の請求項によってのみ限定される。図面において、類似の図面符号は、同一・類似した機能を示す。
【００２５】
以下、本発明が属する技術の分野における通常の知識を有する者が、本発明を容易に実施できるようにするため、本発明の好適な実施例について、添付の図面を参照して、詳しく説明することにする。
【００２６】
図１は、本発明の１実施例による層理面撮影装置の斜視図である。
【００２７】
図１を参照すると、層理面撮影装置１００は、一対の垂直スタンド１１０と、水平支持台１２０と、本体部１３０と、長さ調節部１４０と、カメラ装着治具１５０と、カメラ１６０と、水平計１７０とを含む。
【００２８】
前記垂直スタンド１１０は、下端面が地面に接触して垂直に直設されるものであって、支柱として機能し、同一の長さ及び構造で左右側に間隔配置される一対の構造物であり、高低調節ができるように、２段以上の多段に形成されるのが望ましい。
【００２９】
前記水平支持台１２０は、その両側端部が前記一対の垂直スタンド１１０に結合して、水平方向に設置されるものであって、側面の一面又は両面に目盛り１２１が形成されているので、水平支持台１２０上で水平方向に移動する本体部１３０の精度よい位置移動が可能となる。
【００３０】
前記本体部１３０は、前記水平支持台１２０上で水平方向に移動可能に設置されるものであって、水平支持台１２０の長さ方向又は直線方向に、摺動方式で設定された距離分ほど、位置移動が可能である。
【００３１】
前記長さ調節部１４０は、前記水平支持台１２０の長さ方向に垂直な方向に、長さ調節ができる多段の構造で形成されており、一端部は、本体部１３０に設置され、他端部には、カメラ装着治具１５０が結合されている。
【００３２】
図２は、図１における層理面撮影装置の本体部を拡大して示している。
【００３３】
図２を図１と共に参照すると、前記長さ調節部１４０の一端部は、前記水平支持台１２０を中心軸として、０度から３６０度までの範囲内で回転可能な構造をもって、本体部１３０に設置されており、このような回転構造は、層理面の断面を垂直方向で撮影できるように補助する役割を果たす。
【００３４】
前記カメラ装着治具１５０にはカメラ１６０が装着され、これは、層理面を撮影するための撮影手段であって、ユーザの目的に合わせて、カメラ装着治具１５０に装着されるカメラ１６０の種類を変更できるように、カメラ１６０は、カメラ装着治具１５０に着脱可能な構造として装着されることができる。
【００３５】
図３は、本発明の他の実施例による層理面撮影装置の斜視図である。
【００３６】
前記層理面撮影装置２００は、一対の垂直スタンド２１０と、水平支持台２２０と、本体部２３０と、長さ調節部２４０と、カメラ装着治具２５０と、カメラ２６０と、水平計２７０とを含む。
【００３７】
図３における層理面撮影装置２００を、図１における層理面撮影装置１００と比較すると、カメラ２６０を回転させる構造、すなわち、本体部２３０自体が水平支持台２２０を中心軸として回転できるように、水平支持台２２０に設置されていることで、異なる。
【００３８】
これにより、層理面撮影装置２００については、本体部２３０、及び前記本体部２３０に結合された長さ調節部２４０を中心に説明し、垂直スタンド２１０、水平支持台２２０、カメラ装着治具２５０、カメラ２６０、及び水平計２７０は、前述した内容と同様であるので、該当構成に関する説明は、省略することにする。
【００３９】
前記本体部２３０は、水平支持台２２０上で水平方向に移動可能であり、水平支持台２２０を中心軸として回転自在に設置されたものであって、水平支持台２２０の長さ方向に設定された距離分ほど、位置移動が可能であり、水平支持台２２０を中心軸として、０度から３６０度までの範囲内で回転が可能である。このような回転構造は、層理面の断面を垂直方向で撮影できるように補助する役割を果たす。
【００４０】
図５は、図２の層理面撮影装置のカメラ装着治具と、カメラの装着構造の拡大図である。
【００４１】
前記カメラ装着治具１５０の一側には、０度から３６０度までの範囲内で回転可能な回転部１５１が設けられており、前記回転部１５１に、カメラ１６０が結合装着される。
【００４２】
本図面には示されていないが、前記撮影装置には、本体部又は長さ調節部の作動を制御する制御部を更に備えることができ、前記制御部は、有・無線の連結方式で撮影装置に連結されることで、ユーザによる操作を可能にする。
【００４３】
これにより、ユーザは、制御部により、層理面を垂直方向で撮影できるように、前記本体部１３０、２３０、又は長さ調節部１４０、２４０の水平方向運動、回動、又は垂直方向への長さを調節することができる。
【００４４】
図１における撮影装置１００を基準としてみると、ユーザは、制御部により、本体部１３０及び長さ調節部１４０の作動を制御することができ、層理面の傾斜度に合わせて、長さ調節部１４０の回転角度を調節して、カメラ１６０が層理面を垂直で撮影できるようにする。また、より精度よく層理面を垂直で撮影するために、制御部を、カメラ装着治具１５０に連結させて、長さ調節部１４０の回動に連動して、回転部１５１の回転角度を調節することもできる。
【００４５】
層理面を水平方向に連続的に撮影するためには、本体部１３０を、水平方向に運動するように調節することができる。
【００４６】
撮影装置１００が設置された位置よりも高い箇所に位置した層理面を撮影しようとする場合は、長さ調節部１４０を長く調節することができる。
【００４７】
一方、図３における撮影装置２００を基準としてみると、ユーザは、層理面の傾斜度に合わせて、本体部２３０の回転角度を調節して、カメラ２６０が層理面を垂直で撮影できるようにする。
【符号の説明】
【００４８】
１００、２００：  層理面撮影装置
１１０、２１０：  垂直スタンド
１２０、２２０：  水平支持台
１２１、２２１：  目盛り
１３０、２３０：  本体部
１４０、２４０：  長さ調節部
１５０、２５０：  カメラ装着治具
１５１：  回転部
１６０、２６０：  カメラ
１７０、２７０：  水平計
【図１】
2019015946.tif 000003
【図２】
2019015946.tif 000004
【図３】
2019015946.tif 000005
【図４】
2019015946.tif 000006
【図５】
2019015946.tif 000007
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
一対の垂直スタンドと、
前記一対の垂直スタンドに、両側端部が結合して設置される水平支持台と、
前記水平支持台上に装着され、水平方向に移動可能な本体部と、
前記水平支持台を中心軸として回転可能に、前記本体部に設置され、前記水平支持台の長さ方向に垂直な方向に、長さ調節が可能な可変構造で形成された長さ調節部と、
前記長さ調節部上に結合されるカメラ装着治具と、
前記カメラ装着治具に装着されるカメラと、
前記水平支持台に設置され、水平支持台の傾斜した程度を測定して、水平状態を感知する水平計とを含み、
前記カメラ装着治具の一側には、３６０度回転可能な回転部が更に設置され、前記回転部にカメラが結合され、
前記層理面撮影装置は、前記本体部又は前記長さ調節部の作動を制御する制御部を、更に含み、
前記制御部は、層理面を垂直方向で撮影できるように、前記本体部又は長さ調節部の水平方向運動、回動、又は垂直方向への長さ調節を制御し、層理面の傾斜度に合わせて、前記長さ調節部の回転角度を調節して、前記長さ調節部の回動に連動して、前記回転部の回転角度を調節することを特徴とする層理面撮影装置。
【請求項２】
一対の垂直スタンドと、
前記一対の垂直スタンドに、両側端部が結合して設置される水平支持台と、
前記水平支持台上で水平方向に移動可能であり、前記水平支持台を中心軸として回転可能に、前記水平支持台に設置される本体部と、
前記水平支持台の長さ方向に垂直な方向に、長さ調節が可能な可変構造で、前記本体部上に結合された長さ調節部と、
前記長さ調節部上に結合されるカメラ装着治具と、
前記カメラ装着治具に装着されるカメラと、
前記水平支持台に設置され、水平支持台の傾斜した程度を測定して、水平状態を感知する水平計とを含み、
前記カメラ装着治具の一側には、３６０度回転可能な回転部が更に設置され、前記回転部にカメラが結合され、
前記層理面撮影装置は、前記本体部又は前記長さ調節部の作動を制御する制御部を、更に含み、
前記制御部は、層理面を垂直方向で撮影できるように、前記本体部又は長さ調節部の水平方向運動、回動、又は垂直方向への長さ調節を制御し、層理面の傾斜度に合わせて、前記長さ調節部の回転角度を調節して、前記長さ調節部の回動に連動して、前記回転部の回転角度を調節することを特徴とする層理面撮影装置。
【請求項３】
前記垂直スタンドは、一端部が水平支持台に結合され、他端部には、前記層理面撮影装置が揺れないように地面上に固定させる固定手段が設置され、
前記固定手段は、垂直スタンドと一体に形成されるか、又は、分離及び締結可能に形成されることを特徴とする請求項１又は２に記載の層理面撮影装置。
【請求項４】
前記固定手段は、楔状爪を有する固定台、又は五徳固定台であることを特徴とする請求項３に記載の層理面撮影装置。
【請求項５】
前記水平支持台には、水平方向に一定の間隔に移動できるように、目盛りが形成されることを特徴とする請求項１又は２に記載の層理面撮影装置。
【請求項６】
前記層理面撮影装置は、ユーザによる制御信号を受信されるか、撮影装置から収集された情報を受信可能な有無線方式による送受信手段が、更に備えることを特徴とする請求項１又は２に記載の層理面撮影装置。